(57)【要約】【課題】ミシン目を介して転写装置から像担持体へ電荷がリークすることを防止する画像形成装置を提供する。【解決手段】転写装置電圧制御システム４８は、ミシン目検知装置５０、接地制御部５２および接地スイッチ５４から構成される。ミシン目検知装置５０は、ミシン目２２を検知すると、接地制御部５２に信号を出力する。接地制御部５２は、ミシン目検知装置５０からの信号を受け入れると、接地スイッチ５４をオンする操作を行う。転写装置３６は、接地スイッチ５４がオンされると、転写装置３６が接地されるので、転写装置３６の印加電圧はゼロになる。【選択図】図３
2008089665.tif 000002
【特許請求の範囲】
【請求項１】
ミシン目が形成された連続紙を搬送する連続紙搬送手段と、
この連続紙搬送手段により搬送される連続紙のミシン目の位置を検知するミシン目位置検知手段と、
電圧印加手段と、
この電圧印加手段から電圧が印加されて前記連続紙搬送手段により搬送された連続紙に像を転写する転写装置と、
前記ミシン目位置検知手段のミシン目位置検知に応じて、前記電圧印加手段から前記転写装置に印加される電圧を制御する電圧制御手段と
を有する画像形成装置。
【請求項２】
前記電圧制御手段は、前記ミシン目位置検知手段がミシン目位置を検知した場合、前記転写装置を接地する
請求項１に記載の画像形成装置。
【請求項３】
前記連続紙搬送手段が搬送する連続紙は、ミシン目の位置を示すミシン目位置表示部を有し、
前記ミシン目位置検知手段は、前記ミシン目位置表示部を検知する
請求項１または２に記載の画像形成装置。
【請求項４】
所定の間隔でミシン目が形成された連続紙を搬送する連続紙搬送手段と、
電圧印加手段と、
この電圧印加手段から電圧が印加されて前記連続紙搬送手段により搬送された連続紙に像を転写する転写装置と、
前記連続紙搬送手段により搬送される連続紙のミシン目の所定の間隔に応じて、前記電圧印加手段から前記転写装置に印加される電圧を制御する電圧制御手段と
を有する画像形成装置。
【請求項５】
前記連続紙搬送手段が搬送する連続紙の走行量を算出する連続紙走行量算出手段をさらに有し、
前記電圧制御手段は、前記連続紙走行量算出手段が算出した連続紙の走行量に基づいて前記ミシン目の所定の間隔を算出し、前記電圧印加手段から前記転写装置に印加される電圧を制御する
請求項４に記載の画像形成装置。
【発明の詳細な説明】
【技術分野】
【０００１】
本発明は、連続紙に画像を形成する画像形成装置に関する。
【背景技術】
【０００２】
たとえば、特許文献１は、簡単な構成で用紙のつなぎ目を検出できる用紙つなぎ目検出装置を開示する。
また、特許文献２は、フィルムキャリアテープのそりを抑制することにより、フィルムキャリアテープの正確な位置を認識するためのフィルムキャリアテープとその認識装置を開示する。
【０００３】
【特許文献１】特開２０００−１９８５９５号公報
【特許文献２】特開２００１−３０２０４６号公報
【発明の開示】
【発明が解決しようとする課題】
【０００４】
本発明は、上述した背景からなされたものであり、ミシン目を介して転写装置から像担持体へ電荷がリークすることを防止する画像形成装置を提供することを目的とする。
【課題を解決するための手段】
【０００５】
上記目的を達成するために、本発明にかかる画像形成装置は、ミシン目が形成された連続紙を搬送する連続紙搬送手段と、この連続紙搬送手段により搬送される連続紙のミシン目の位置を検知するミシン目位置検知手段と、電圧印加手段と、この電圧印加手段から電圧が印加されて前記連続紙搬送手段により搬送された連続紙に像を転写する転写装置と、前記ミシン目位置検知手段のミシン目位置検知に応じて、前記電圧印加手段から前記転写装置に印加される電圧を制御する電圧制御手段とを有する。
【０００６】
好適には、前記電圧制御手段は、前記ミシン目位置検知手段がミシン目位置を検知した場合、前記転写装置を接地する。
【０００７】
好適には、前記連続紙搬送手段が搬送する連続紙は、ミシン目の位置を示すミシン目位置表示部を有し、前記ミシン目位置検知手段は、前記ミシン目位置表示部を検知する。
【０００８】
本発明にかかる第２の画像形成装置は、所定の間隔でミシン目が形成された連続紙を搬送する連続紙搬送手段と、電圧印加手段と、この電圧印加手段から電圧が印加されて前記連続紙搬送手段により搬送された連続紙に像を転写する転写装置と、前記連続紙搬送手段により搬送される連続紙のミシン目の所定の間隔に応じて、前記電圧印加手段から前記転写装置に印加される電圧を制御する電圧制御手段とを有する。
【０００９】
好適には、前記連続紙搬送手段が搬送する連続紙の走行量を算出する連続紙走行量算出手段をさらに有し、前記電圧制御手段は、前記連続紙走行量算出手段が算出した連続紙の走行量に基づいて前記ミシン目の所定の間隔を算出し、前記電圧印加手段から前記転写装置に印加される電圧を制御する。
【発明の効果】
【００１０】
本発明の画像形成装置によれば、ミシン目位置に応じて、転写装置に印加される電圧を制御するので、ミシン目を介して転写装置から像担持体へ電荷がリークすることを防止することができる。
【発明を実施するための最良の形態】
【００１１】
以下、本発明の実施形態を説明する。
図１において、本発明の実施形態にかかる画像形成装置１０の概要が示されている。
画像形成装置１０は、像形成手段１４、排出部１６および給紙部１８を備える。
【００１２】
給紙部１８は、連続紙２０を収納し、搬送ロール２４の回転により給紙部１８に積載された連続紙２０が像形成手段１４に搬送される。
さらに搬送ロール２４の下流側には、像形成手段１４の像坦持体２８と転写装置３６とが対峙して設けられ、さらにその下流側には定着装置４０が設けられている。
したがって、給紙部１８から搬送ロール２４により送り出された連続紙２０は、像坦持体２８と転写装置３６との間を通って現像剤像が転写され、この転写された現像剤像が定着装置４０により定着され、排出ロール２６により排出部１６へ排出される。
【００１３】
像形成手段１４は電子写真式のもので、感光体からなる像坦持体２８と、この像坦持体２８を一様帯電する例えば帯電ロールからなる帯電装置３０と、この帯電装置３０により帯電された像坦持体２８に、光により潜像を書き込む光書込み装置３２と、この光書込み装置３２により形成された像坦持体２８の潜像を現像剤により可視化する現像装置３４と、所定電圧が印加され、現像装置３４による現像剤像を用紙に転写する転写装置３６と、転写後の像担持体２８の潜像電荷を除去する除電装置３７と、像坦持体２８に残存する現像剤をクリーニングするクリーニング装置３８と、転写装置３６により転写された用紙上の現像剤像を用紙に定着させる例えば加圧ロールと加熱ロールとからなる定着装置４０とから構成されている。
【００１４】
光書込み装置３２は例えば走査型のレーザ露光装置からなり、像坦持体２８に潜像を形成する。クリーニング装置３８は、像坦持体２８に接触するクリーニングブレード４２と、このクリーニングブレード４２で掻き落とされた現像剤を収納する現像剤回収部４４とを有する。
なお、光書込み装置３２は、他の実施形態としてＬＥＤや面発光レーザなどを用いることができる。
【００１５】
図２および図３において、転写装置電圧制御システム４８の概要が示されている。図２（Ａ）は転写装置電圧制御システム４８の概略を示す平面図であり、図２（Ｂ）は側面図である。
転写装置電圧制御システム４８は、ミシン目検知装置５０、接地制御部５２および接地スイッチ５４から構成される。
連続紙２０にはミシン目２２が設けられており、転写装置３６の上流側の近傍にはミシン目２２を検知するたとえば光学センサからなるミシン目検知装置５０が配置されている。ミシン目検知装置５０は、たとえば光学センサから構成される。
【００１６】
ミシン目検知装置５０は、ミシン目２２を検知すると、接地制御部５２に信号を出力し、ミシン目２２を検知しない場合は、接地制御部５２に信号を出力しない。
接地制御部５２は、ミシン目検知装置５０からの信号を受け入れると、接地スイッチ５４をオンする操作を行う。
転写装置３６は、接地スイッチ５４がオンされる前は電源５６によって負の電圧が印加されていたが、接地スイッチ５４がオンされると、転写装置３６が接地されるので、転写装置３６の印加電圧はゼロになる。
【００１７】
なお、転写装置３６とミシン目検知装置５０との間隔Ｄが大きい場合、接地制御部５２は、この間隔Ｄと連続紙搬送速度とから、ミシン目検知装置５０がミシン目２２を検知した時点からミシン目２２が転写装置３６に達する時点までの時間Ｔ１を算出し、ミシン目検知装置５０から信号を受信してから時間Ｔ１経過後に接地スイッチ５４をオンする操作を行うことも可能である。
【００１８】
また、接地制御部５２は、ミシン目検知装置５０からの信号を受信しなくなると、接地スイッチ５４をオフする操作を行う。
なお、間隔Ｄが大きい場合、接地制御部５２は、ミシン目検知装置５０からの信号を受信しなくなってから時間Ｔ１経過後に接地スイッチ５４をオフする操作を行うことも可能である。したがって、ミシン目２０が転写装置３６から離れると、転写装置３６に電圧が印加されるように構成することが可能である。
【００１９】
次に、本発明にかかる第２の実施形態を説明する。
なお、以後、第１の実施形態で説明した構成要素には同一の符号を付し、重複する説明は省略する。
図４および図５において、第２の実施形態にかかる転写装置電圧制御システム６０の概要が示されている。図４（Ａ）は転写装置電圧制御システム６０の概略を示す平面図であり、図４（Ｂ）は側面図である。
【００２０】
連続紙２０には、ミシン目２２とミシン目２２の位置を示すミシン目位置表示部６２とが設けられている。ミシン目位置表示部６２は、たとえば貫通孔である。
転写装置電圧制御システム６０は、図５（Ａ）に示すように、ミシン目検知装置６４、接地スイッチ６６およびばね６８から構成される。
ミシン目検知装置６４は転写装置３６の上流側の近傍に配置されている。
接地スイッチ６６は、連続紙２０に対してミシン目検知装置６４と反対側であって、ミシン目検知装置６４と対向する位置に配置されている。
【００２１】
ミシン目検知装置６４は、ばね６８によって、連続紙２０に圧接している。
連続紙２０が搬送されて、貫通孔であるミシン目位置表示部６２がミシン目検知装置６４に達すると、図５（Ｂ）に示すように、ミシン目検知装置６４は、ばね６８によってミシン目位置表示部６２を貫通し、接地スイッチ６６を押下する。
接地スイッチ６６がミシン目検知装置６４に押下されると、転写装置３６は接地され、転写装置３６の印加電圧はゼロになる。
なお、転写装置３６とミシン目検知装置６４との間隔Ｄが大きい場合、接地スイッチ６６は、この間隔Ｄと連続紙搬送速度とから、接地スイッチ６６が押下された時点からミシン目２２が転写装置３６に達する時点までの時間Ｔ２を算出し、ミシン目検知装置５０から信号を受信してから時間Ｔ２経過後に転写装置３６を接地する操作を行うことも可能である。
【００２２】
また、接地制御部５２は、ミシン目２０が転写装置３６から離れると、接地スイッチ５４をオフする操作を行う。
なお、間隔Ｄが大きい場合、接地スイッチ６６は、接地スイッチ６６が押下されてから時間Ｔ２経過後に転写装置３６の接地を解除する操作を行うことも可能である。したがって、ミシン目２０が転写装置３６から離れると、転写装置３６に電圧が印加されるように構成することが可能である。
【００２３】
次に、本発明にかかる第３の実施形態を説明する。
図６において、第３の実施形態にかかる転写装置電圧制御システム７０の概要が示されている。
連続紙２０には、ミシン目２２が所定の間隔で設けられている。
転写装置電圧制御システム７０は、接地制御部７２、連続紙２０の走行量を算出する連続紙走行量算出装置７４および接地スイッチ７６から構成される。
連続紙走行量算出装置７４は、転写装置３６の上流側に配置されており、連続紙２０の先端が通過後、算出した連続紙２０の走行量を接地制御部７２に送信する。
【００２４】
接地制御部７２は、あらかじめミシン目２２の間隔、および連続紙走行量算出装置７４と転写装置３６との距離Ｌが入力されており、そのミシン目の間隔と、連続紙２０の走行量と、距離Ｌとから、ミシン目２２が転写装置３６に達するタイミング、およびミシン目２２が転写装置３６から離れるタイミングを算出し、算出したタイミングで接地スイッチ７６をオンおよびオフする操作を行う。
接地スイッチ７６がオンされると転写装置３６の印加電圧はゼロになり、接地スイッチ７６がオフされると転写装置３６には負の電圧が印加される。
【００２５】
なお、第１の実施形態においては、ミシン目検知装置５０はミシン目２２を検知する構成としたが、第２の実施形態の構成と同様に、連続紙２０にミシン目位置表示部６２を設け、そのミシン目位置表示部６２を検知する構成としてもよい。
また、図２〜図５においては、ミシン目検知装置５０および６４は、連続紙２０に対して転写装置３６と同じ側としたが、それぞれ転写装置３６と同じ側になくてもよい。
また、本実施例では、転写装置電圧制御システムは、転写装置を接地することによって転写装置に印加される電圧を制御するようにしているが、本発明は転写装置を接地することに限定されず、たとえば電源を制御して印加電圧を増減させるような構成としてもよい。
【図面の簡単な説明】
【００２６】
【図１】本発明にかかる画像形成装置の断面図である。
【図２】本発明の実施形態にかかる転写装置電圧制御システムの概要を示す図である。
【図３】本発明の実施形態にかかる転写装置電圧制御システムを示す図である。
【図４】本発明の第２の実施形態にかかる転写装置電圧制御システムの概要を示す図である。
【図５】本発明の第２の実施形態にかかる転写装置電圧制御システムを示す図である。
【図６】本発明の第３の実施形態にかかる転写装置電圧制御システムを示す図である。
【符号の説明】
【００２７】
１０  画像形成装置
１４  像形成手段
１６  排出部
１８  給紙部
２０  連続紙
２２  ミシン目
２８  像坦持体
３６  転写装置
４８  転写装置電圧制御システム
５０  ミシン目検知装置
５２  接地制御部
５４  接地スイッチ
５６  電源
６２  ミシン目位置表示部
６０  転写装置電圧制御システム
６４  ミシン目検知装置
６６  接地スイッチ
６８  ばね
７０  転写装置電圧制御システム
７２  接地制御部
７４  連続紙走行量算出装置
７６  接地スイッチ
【図１】
2008089665.tif 000003
【図２】
2008089665.tif 000004
【図３】
2008089665.tif 000005
【図４】
2008089665.tif 000006
【図５】
2008089665.tif 000007
【図６】
2008089665.tif 000008